(57)【要約】【課題】出力される映像を処理する処理部の回路構成が複雑化するのを抑制しながら、表示部に表示される映像の一部を外部表示装置に拡大表示させることが可能な表示装置を提供する。【解決手段】液晶テレビは、映像を表示する表示部１４と、表示部１４に表示される映像の一部を外部表示装置に出力する出力部と、出力部から外部表示装置に出力される映像を処理する信号処理部とを備えている。そして、表示部１４は、表示領域Ｒの全体に映像を表示するとともに、表示領域Ｒが４段に分割され、処理部は、４段に分割された表示領域Ｒａ１〜Ｒａ４のうち、表示領域Ｒａ１に表示される映像Ｖａ１およびＶａ２を２倍に拡大する。拡大された各映像は、外部表示装置の２段に分割された表示領域にそれぞれ表示される。【選択図】図５
2010164786.tif 000002
【特許請求の範囲】
【請求項１】
映像を表示する表示部と、
前記表示部に表示される映像の一部を外部表示装置に出力する出力部と、を備えた表示装置において、
前記出力部から前記外部表示装置に出力される映像を処理する処理部をさらに備え、
前記表示部は、表示領域の全体に映像を表示するとともに、前記表示領域が複数段に分割され、
前記処理部は、複数段に分割された各表示領域のうち、所定の表示領域に表示される映像を拡大する、ことを特徴とする表示装置。
【請求項２】
請求項１に記載の表示装置において、
前記所定の表示領域が選択可能に構成されていることを特徴とする表示装置。
【請求項３】
請求項１または請求項２に記載の表示装置において、
前記表示部は、前記表示領域が４段に分割され、
前記処理部は、前記所定の表示領域に表示される映像を横方向に２分割し、その分割された映像を縦方向に隣接するように並び替え、並び替えられた映像を２倍に拡大する、ことを特徴とする表示装置。
【請求項４】
請求項１または請求項２に記載の表示装置において、
前記表示部は、前記表示領域が９段に分割され、
前記処理部は、前記所定の表示領域に表示される映像を横方向に３分割し、その分割された映像を縦方向に隣接するように並び替え、並び替えられた映像を３倍に拡大する、ことを特徴とする表示装置。
【発明の詳細な説明】
【技術分野】
【０００１】
本発明は、表示部に表示される映像の一部を外部表示装置に出力する出力部を備えた表示装置に関する。
【背景技術】
【０００２】
従来、複数の表示装置を備えた表示システムが種々知られている（たとえば、特許文献１〜４参照）。
【０００３】
上記特許文献１には、テレビ（親機）と、テレビに表示される映像の一部を拡大して表示する小型表示装置（子機）とを備えた表示システムが開示されている。この表示システムでは、テレビに表示される映像のうちマウスなどのポインティングデバイスにより指定された領域の映像が、テレビから小型表示装置に出力される。したがって、利用者がポインティングデバイスを操作することにより、利用者が望む領域の映像が小型表示装置に表示される。
【０００４】
また、上記特許文献２〜４には、複数の表示装置を備えた表示システムが開示されている。この表示システムでは、各表示装置が映像の一部を拡大して表示することにより、複数の表示装置が全体として１つの映像を拡大して表示する。
【先行技術文献】
【特許文献】
【０００５】
【特許文献１】特開２００８−１１８６６５号公報
【特許文献２】特開２００８−７９１６８号公報
【特許文献３】実用新案登録第３０３１８８８号公報
【特許文献４】特開昭５１−８９３３０号公報
【発明の概要】
【発明が解決しようとする課題】
【０００６】
しかしながら、上記特許文献１に開示された従来の表示システムのテレビでは、ポインティングデバイスにより指定された領域の映像を出力するので、指定され得る領域のバリエーションが無数に存在する。このため、出力される映像を処理する処理部の回路構成が複雑化するという問題点がある。
【０００７】
なお、上記特許文献２〜４には、表示部に表示される映像の一部を外部表示装置に表示させる構成については、開示も示唆もされていない。
【０００８】
本発明は、上述した課題を解決するものであって、その目的とするところは、出力される映像を処理する処理部の回路構成が複雑化するのを抑制しながら、表示部に表示される映像の一部を外部表示装置に拡大表示させることが可能な表示装置を提供することである。
【課題を解決するための手段】
【０００９】
本発明の表示装置は、映像を表示する表示部と、表示部に表示される映像の一部を外部表示装置に出力する出力部と、を備えた表示装置において、出力部から外部表示装置に出力される映像を処理する処理部をさらに備え、表示部は、表示領域の全体に映像を表示するとともに、表示領域が複数段に分割され、処理部は、複数段に分割された各表示領域のうち、所定の表示領域に表示される映像を拡大する。
【００１０】
このように構成することによって、複数段に分割された各表示領域のうち、所定の表示領域に表示される映像を拡大して出力することにより、上記特許文献１のように拡大表示させる領域のバリエーションが無数に存在する場合に比べて、外部表示装置に出力される映像を処理する処理部の回路構成が複雑化するのを抑制することができる。
【００１１】
上記表示装置において、所定の表示領域が選択可能に構成されていてもよい。
【００１２】
このように構成すれば、処理部の回路構成が複雑化するのを抑制しながら、利用者が望む領域の映像を外部表示装置に表示させることができる。
【００１３】
上記表示装置において、表示部は、表示領域が４段に分割され、処理部は、所定の表示領域に表示される映像を横方向に２分割し、その分割された映像を縦方向に隣接するように並び替え、並び替えられた映像を２倍に拡大するようにしてもよい。
【００１４】
このように構成すれば、所定の表示領域に１行の文字情報が表示される場合に、縦横比が変更されることなく文字情報が２倍に拡大され、その拡大された文字情報が外部表示装置に２行で表示されるので、文字情報を効率的に見やすくすることができる。
【００１５】
上記表示装置において、表示部は、表示領域が９段に分割され、処理部は、所定の表示領域に表示される映像を横方向に３分割し、その分割された映像を縦方向に隣接するように並び替え、並び替えられた映像を３倍に拡大するようにしてもよい。
【００１６】
このように構成すれば、所定の表示領域に１行の文字情報が表示される場合に、縦横比が変更されることなく文字情報が３倍に拡大され、その拡大された文字情報が外部表示装置に３行で表示されるので、文字情報を効率的に見やすくすることができる。
【発明の効果】
【００１７】
本発明によれば、出力される映像を処理する処理部の回路構成が複雑化するのを抑制しながら、表示部に表示される映像の一部を外部表示装置に拡大表示させることが可能な表示装置を提供することができる。
【図面の簡単な説明】
【００１８】
【図１】本発明の一実施形態による液晶テレビの全体構成を示した図である。
【図２】本発明の一実施形態による液晶テレビの全体構成を示したブロック図である。
【図３】図１の液晶テレビのリモコンを示した平面図である。
【図４】本発明の一実施形態による液晶テレビの拡大表示動作を説明するためのフローチャートである。
【図５】図２の液晶テレビの表示部を示した図である。
【図６】図２の外部表示装置を示した図である。
【図７】図２の液晶テレビの表示部を示した図である。
【図８】図２の外部表示装置を示した図である。
【図９】図２の液晶テレビの表示部を示した図である。
【図１０】図２の外部表示装置を示した図である。
【発明を実施するための形態】
【００１９】
以下、本発明の実施形態について、図面を参照しながら説明する。なお、以下の実施形態では、表示装置の一例である液晶テレビジョン受像機（以下、「液晶テレビ」という）に本発明を適用した場合について説明する。
【００２０】
図１および図２は、本発明の一実施形態による液晶テレビの全体構成を示した図である。図３は、図１の液晶テレビのリモコンを示した平面図である。まず、図１〜図３を参照して、本実施形態による液晶テレビ１００の構成について説明する。
【００２１】
本発明の一実施形態による液晶テレビ１００は、図１に示すように、テレビジョン放送を受信して表示するテレビ本体１と、テレビ本体１を遠隔操作するリモコン２とを備えている。
【００２２】
テレビ本体１は、図２に示すように、チューナ１１と、分岐部１２と、信号処理部１３と、表示部１４と、信号処理部１５と、出力部１６と、受信部１７と、制御部１８とを含んでおり、これらはバス１ａを介して接続されている。なお、信号処理部１５は、本発明の「処理部」の一例である。
【００２３】
チューナ１１は、アンテナ（図示省略）が受信したテレビジョン放送のチャンネルを選択するとともに、選択されたチャンネルの映像信号を分岐部１２に出力する。分岐部１２は、チューナ１１から入力された映像信号を信号処理部１３および１５に出力する。すなわち、信号処理部１３および１５には、分岐部１２から同じ映像信号が入力される。
【００２４】
信号処理部１３は、デコーダ回路、ＯＳＤ（On-Screen  Display）回路、およびスケーリング回路などを含み、分岐部１２から入力された映像信号に対して処理を施し、処理が施された映像信号を表示部１４に出力する。表示部１４は、液晶パネルやパネル駆動回路などを含み、信号処理部１３から入力された映像信号に基づいて映像を表示する。
【００２５】
信号処理部１５は、デコーダ回路、ＯＳＤ回路、およびスケーリング回路などを含み、分岐部１２から入力された映像信号に対して処理を施し、処理が施された映像信号を出力部１６に出力する。出力部１６は、信号処理部１５から入力された映像信号を外部表示装置２００に出力する。外部表示装置２００は、たとえば、液晶ディスプレイ装置から構成される。
【００２６】
受信部１７は、フォトダイオードなどを含み、リモコン２から出力されるリモコン信号を受信する。制御部１８は、ＣＰＵ、ＲＯＭ、およびＲＡＭなどを含み、テレビ本体１の動作を制御する。
【００２７】
リモコン２は、図３に示すように、利用者がテレビ本体１を操作するための操作ボタン２１と、リモコン信号を出力する発信部２２と、リモコン２の動作を制御する制御部（図示省略）とを含んでいる。
【００２８】
操作ボタン２１は、リモコン２の上面に設けられるとともに、電源ボタン２１ａと、メニューボタン２１ｂと、音量調整ボタン２１ｃと、数字ボタン２１ｄと、拡大ボタン２１ｅと、カーソルボタン２１ｆと、決定ボタン２１ｇとを有する。
【００２９】
電源ボタン２１ａは、テレビ本体１の電源をオン状態またはオフ状態に切り替えるために設けられている。メニューボタン２１ｂは、テレビ本体１の各種設定を行うために設けられている。音量調整ボタン２１ｃは、テレビ本体１の音量を調整するために設けられている。数字ボタン２１ｄは、テレビ本体１のチャンネルを切り替えるために設けられている。拡大ボタン２１ｅ、カーソルボタン２１ｆ、および決定ボタン２１ｇについては後述する。
【００３０】
図４は、本発明の一実施形態による液晶テレビの拡大表示動作を説明するためのフローチャートである。図５〜図８は、本発明の一実施形態による液晶テレビの拡大表示動作を説明するための図である。次に、図２〜図８を参照して、本実施形態による液晶テレビ１００が、表示部１４に表示される映像の一部を外部表示装置２００に拡大表示させる際の動作について説明する。なお、このフローチャートの各ステップは、制御部１８（図２参照）により実行される。
【００３１】
まず、液晶テレビ１００（図２参照）では、図４のステップＳ１において、リモコン２の拡大ボタン２１ｅ（図３参照）が押されたか否かを判断する。具体的には、受信部１７（図２参照）により、リモコン２の発信部２２（図３参照）から出力される拡大ボタン２１ｅが押されたことを示すリモコン信号を受信したか否かを判断する。そして、拡大ボタン２１ｅが押されていないと判断した場合には、ステップＳ１を繰り返し行う。その一方、拡大ボタン２１ｅが押されたと判断した場合には、ステップＳ２に移る。
【００３２】
次に、ステップＳ２において、信号処理部１３（図２参照）により、表示部１４の表示領域Ｒを４段に分割する。具体的には、図５に示すように、表示部１４の表示領域ＲがＹ方向（縦方向）に４分割され、４つの表示領域Ｒａ１〜Ｒａ４が形成される。そして、初期状態では、表示領域Ｒａ１〜Ｒａ４のうち、表示領域Ｒａ１がカーソルＣにより選択される。なお、表示領域Ｒには、文字情報（たとえば、地震情報）などを含む１つの映像が表示される。すなわち、各表示領域Ｒａ１〜Ｒａ４に表示される映像により１つの映像が構成される。
【００３３】
次に、ステップＳ３において、リモコン２のカーソルボタン２１ｆ（図３参照）が押されたか否かを判断する。具体的には、受信部１７により、リモコン２の発信部２２から出力されるカーソルボタン２１ｆが押されたことを示すリモコン信号を受信したか否かを判断する。そして、カーソルボタン２１ｆが押されていないと判断した場合には、ステップＳ５に移る。その一方、カーソルボタン２１ｆが押されたと判断した場合には、ステップＳ４において、信号処理部１３により、カーソルＣを移動させる。
【００３４】
たとえば、図５に示すように、カーソルＣが表示領域Ｒａ１を選択している場合において、カーソルボタン２１ｆの下ボタンが押された場合には、カーソルＣが表示領域Ｒａ２を選択するように、カーソルＣを移動させる。一方、カーソルＣが表示領域Ｒａ１を選択している場合において、カーソルボタン２１ｆの上ボタンが押された場合には、カーソルＣが表示領域Ｒａ４を選択するように、カーソルＣを移動させる。
【００３５】
次に、ステップＳ５において、リモコン２の決定ボタン２１ｇ（図３参照）が押されたか否かを判断する。具体的には、受信部１７により、リモコン２の発信部２２から出力される決定ボタン２１ｇが押されたことを示すリモコン信号を受信したか否かを判断する。そして、決定ボタン２１ｇが押されていないと判断した場合には、ステップＳ８に移る。その一方、決定ボタン２１ｇが押されたと判断した場合には、ステップＳ６において、信号処理部１５（図２参照）により、決定された表示領域の映像が２倍に拡大される。そして、その拡大された映像が出力部１６（図２参照）から外部表示装置２００（図２参照）に出力される。なお、決定された表示領域は、本発明の「所定の表示領域」の一例である。
【００３６】
たとえば、図５に示すように、カーソルＣにより表示領域Ｒａ１が選択されている状態で決定ボタン２１ｇが押された場合には、表示領域Ｒａ１に表示される映像ＶａがＸ方向（横方向）に２分割され、分割された２つの映像Ｖａ１およびＶａ２がＹ方向（縦方向）に隣接するように並び替えられ、その並び替えられた映像が２倍に拡大される。したがって、図６に示すように、外部表示装置２００の表示領域Ｒｂ１には、表示部１４の表示領域Ｒａ１に表示される映像Ｖａ１が２倍に拡大されて表示されるとともに、外部表示装置２００の表示領域Ｒｂ２には、表示部１４の表示領域Ｒａ１に表示される映像Ｖａ２が２倍に拡大されて表示される。このため、表示部１４の表示領域Ｒａ１に１行の文字情報が表示されている場合には、外部表示装置２００には、文字情報が表示領域Ｒｂ１およびＲｂ２の順に２行で表示される。
【００３７】
その後、一定時間が経過すると、ステップＳ７において、信号処理部１３により、表示部１４を表示領域Ｒが分割される前の元の状態に戻す。これにより、表示部１４に表示される映像の一部を外部表示装置２００に拡大表示させる動作が終了する。
【００３８】
また、決定ボタン２１ｇが押されない場合は、ステップＳ８において、リモコン２の拡大ボタン２１ｅが押されたか否かを判断する。そして、拡大ボタン２１ｅが押されていないと判断した場合には、ステップＳ３に戻る。その一方、拡大ボタン２１ｅが押されたと判断した場合には、ステップＳ９に移る。
【００３９】
次に、ステップＳ９において、信号処理部１３により、表示部１４の表示領域Ｒを９段に分割する。具体的には、図７に示すように、表示部１４の表示領域ＲがＹ方向（縦方向）に９分割され、９つの表示領域Ｒｃ１〜Ｒｃ９が形成される。そして、初期状態では、表示領域Ｒｃ１〜Ｒｃ９のうち、表示領域Ｒｃ１がカーソルＣにより選択される。
【００４０】
次に、ステップＳ１０において、リモコン２のカーソルボタン２１ｆが押されたか否かを判断する。そして、カーソルボタン２１ｆが押されていないと判断した場合には、ステップＳ１２に移る。その一方、カーソルボタン２１ｆが押されたと判断した場合には、ステップＳ１１において、信号処理部１３により、カーソルＣを移動させる。
【００４１】
たとえば、図７に示すように、カーソルＣが表示領域Ｒｃ１を選択している場合において、カーソルボタン２１ｆの下ボタンが押された場合には、カーソルＣが表示領域Ｒｃ２を選択するように、カーソルＣを移動させる。一方、カーソルＣが表示領域Ｒｃ１を選択している場合において、カーソルボタン２１ｆの上ボタンが押された場合には、カーソルＣが表示領域Ｒｃ９を選択するように、カーソルＣを移動させる。
【００４２】
次に、ステップＳ１２において、リモコン２の決定ボタン２１ｇが押されたか否かを判断する。そして、決定ボタン２１ｇが押されていないと判断した場合には、ステップＳ１４に移る。その一方、決定ボタン２１ｇが押されたと判断した場合には、ステップＳ１３において、信号処理部１５により、決定された表示領域の映像が３倍に拡大される。そして、その拡大された映像が出力部１６から外部表示装置２００に出力される。
【００４３】
たとえば、図７に示すように、カーソルＣにより表示領域Ｒｃ１が選択されている状態で決定ボタン２１ｇが押された場合には、表示領域Ｒｃ１に表示される映像ＶｂがＸ方向（横方向）に３分割され、分割された３つの映像Ｖｂ１〜Ｖｂ３がＹ方向（縦方向）に隣接するように並び替えられ、その並び替えられた映像が３倍に拡大される。したがって、図８に示すように、外部表示装置２００の表示領域Ｒｄ１には、表示部１４の表示領域Ｒｃ１に表示される映像Ｖｂ１が３倍に拡大されて表示される。また、外部表示装置２００の表示領域Ｒｄ２には、表示部１４の表示領域Ｒｃ１に表示される映像Ｖｂ２が３倍に拡大されて表示される。また、外部表示装置２００の表示領域Ｒｄ３には、表示部１４の表示領域Ｒｃ１に表示される映像Ｖｂ３が３倍に拡大されて表示される。このため、表示部１４の表示領域Ｒｃ１に１行の文字情報が表示されている場合には、外部表示装置２００には、文字情報が表示領域Ｒｄ１〜Ｒｄ３の順に３行で表示される。
【００４４】
その後、一定時間が経過すると、ステップＳ７において、信号処理部１３により、表示部１４を表示領域Ｒが分割される前の元の状態に戻す。これにより、表示部１４に表示される映像の一部を外部表示装置２００に拡大表示させる動作が終了する。
【００４５】
また、決定ボタン２１ｇが押されない場合は、ステップＳ１４において、リモコン２の拡大ボタン２１ｅが押されたか否かを判断する。そして、拡大ボタン２１ｅが押されていないと判断した場合には、ステップＳ１０に戻る。その一方、拡大ボタン２１ｅが押されたと判断した場合には、ステップＳ７において、信号処理部１３により、表示部１４を表示領域Ｒが分割される前の元の状態に戻す。なお、この場合には、外部表示装置２００に映像が拡大表示されることなく、動作が終了する。
【００４６】
本実施形態では、上記のように、表示領域Ｒａ１〜Ｒａ４またはＲｃ１〜Ｒｃ９のうち、カーソルＣにより選択された表示領域に表示される映像を、外部表示装置２００に拡大表示させることによって、上記特許文献１のように拡大表示させる領域のバリエーションが無数に存在する場合に比べて、外部表示装置２００に出力される映像を処理する信号処理部１５の回路構成が複雑化するのを抑制することができる。
【００４７】
また、本実施形態では、図５および図６に示すように、たとえば、外部表示装置２００の表示領域Ｒｂ１に、表示部１４の表示領域Ｒａ１に表示される映像Ｖａ１を２倍に拡大して表示させるとともに、外部表示装置２００の表示領域Ｒｂ２に、表示部１４の表示領域Ｒａ１に表示される映像Ｖａ２を２倍に拡大して表示させる。このように構成することにより、表示領域Ｒａ１に１行の文字情報が表示される場合には、縦横比が変更されることなく文字情報が２倍に拡大され、その拡大された文字情報が外部表示装置２００に２行で表示されるので、文字情報を効率的に見やすくすることができる。
【００４８】
また、本実施形態では、図７および図８に示すように、たとえば、外部表示装置２００の表示領域Ｒｄ１に、表示部１４の表示領域Ｒｃ１に表示される映像Ｖｂ１を３倍に拡大して表示させ、外部表示装置２００の表示領域Ｒｄ２に、表示部１４の表示領域Ｒｃ１に表示される映像Ｖｂ２を３倍に拡大して表示させ、外部表示装置２００の表示領域Ｒｄ３に、表示部１４の表示領域Ｒｃ１に表示される映像Ｖｂ３を３倍に拡大して表示させる。このように構成することにより、表示領域Ｒｃ１に１行の文字情報が表示される場合には、縦横比が変更されることなく文字情報が３倍に拡大され、その拡大された文字情報が外部表示装置２００に３行で表示されるので、文字情報が図５に示した場合に比べて小さい場合にも、文字情報を十分に見やすくすることができる。
【００４９】
また、本実施形態では、拡大する表示領域をカーソルＣにより選択可能に構成することによって、信号処理部１５の回路構成が複雑化するのを抑制しながら、利用者が望む領域の映像を外部表示装置２００に表示させることができる。
【００５０】
本発明は、上述した以外にも種々の実施形態を採用することができる。たとえば、上記実施形態では、液晶テレビ１００に本発明を適用する例を示したが、これに限らず、プラズマディスプレイなどのその他の表示装置に本発明を適用してもよい。
【００５１】
また、上記実施形態では、拡大する表示領域を利用者がリモコン２を用いて決定する例を示したが、これに限らず、拡大する表示領域を制御部１８により自動的に決定するようにしてもよい。具体的には、制御部１８を文字情報が表示される領域を判別することが可能なように構成し、制御部１８により文字情報が表示されると判断された領域を拡大するようにしてもよい。
【００５２】
また、上記実施形態において、文字数に基づいて表示部１４に表示される文字情報の行数を判別可能に構成してもよい。そして、図９に示すように、表示領域Ｒａ１に２行の文字情報が表示される場合に、図１０に示すように、外部表示装置２００の表示領域Ｒｅ１に、表示部１４の表示領域Ｒａ１に表示される映像Ｖｃ１を２倍に拡大して表示させ、外部表示装置２００の表示領域Ｒｅ２に、表示部１４の表示領域Ｒａ１に表示される映像Ｖｃ２を２倍に拡大して表示させ、外部表示装置２００の表示領域Ｒｅ３に、表示部１４の表示領域Ｒａ１に表示される映像Ｖｃ３を２倍に拡大して表示させ、外部表示装置２００の表示領域Ｒｅ４に、表示部１４の表示領域Ｒａ１に表示される映像Ｖｃ４を２倍に拡大して表示させる。このように構成すれば、表示領域Ｒａ１に２行の文字情報が表示されている場合にも、外部表示装置２００に文字情報を順に表示させることができる。
【００５３】
また、上記実施形態において、文字情報を記憶する記憶部（図示省略）を設けてもよい。このように構成すれば、たとえば、複数の表示領域に文字情報が表示された場合に、各表示領域に表示された文字情報を順に、外部表示装置２００に拡大して表示させることができる。
【００５４】
また、上記実施形態では、分岐部１２には、チューナ１１から映像信号が入力される例を示したが、これに限らず、分岐部１２に、ＤＶＤプレーヤなどの外部機器（図示省略）から映像信号が入力されるようにしてもよい。
【００５５】
また、上記実施形態において、分岐部１２は、信号処理部１５に映像信号を常に出力してもよいし、信号処理部１５に映像信号を拡大表示するときのみ出力するようにしてもよい。
【００５６】
また、上記実施形態では、ステップＳ２において、表示領域Ｒａ１〜Ｒａ４のうち、表示領域Ｒａ１がカーソルＣにより選択される例を示したが、これに限らず、表示領域Ｒａ１〜Ｒａ４のうち、表示領域Ｒａ１以外の表示領域Ｒａ２〜Ｒａ４のいずれかがカーソルＣにより選択されていてもよい。なお、ステップＳ９においても同様である。
【００５７】
また、上記実施形態では、決定された表示領域の映像を拡大して出力する例を示したが、これに限らず、決定ボタン２１ｇが押されたか否かを判断するステップＳ５（Ｓ１２）を省略して、カーソルＣにより選択される表示領域の映像を常に拡大して出力するようにしてもよい。
【００５８】
また、上記実施形態では、決定された表示領域の映像を拡大して出力した後、一定時間が経過すると、表示部１４を表示領域Ｒが分割される前の元の状態に戻す例を示したが、これに限らず、決定された表示領域の映像を拡大して出力した後、表示部１４の表示領域Ｒが分割された状態のままでもよい。この場合は、たとえば、拡大ボタン２１ｅを再度押すことにより、分割前の状態に戻るようにすればよい。
【符号の説明】
【００５９】
１４    表示部
１５    信号処理部（処理部）
１６    出力部
１００  液晶テレビ（表示装置）
２００  外部表示装置
【図１】
2010164786.tif 000003
【図２】
2010164786.tif 000004
【図３】
2010164786.tif 000005
【図４】
2010164786.tif 000006
【図５】
2010164786.tif 000007
【図６】
2010164786.tif 000008
【図７】
2010164786.tif 000009
【図８】
2010164786.tif 000010
【図９】
2010164786.tif 000011
【図１０】
2010164786.tif 000012